(57)【要約】【課題】  従来のスノーボード用ビンディングにおいては、アンクルストラップを締め付けた場合足の甲部分に締付力が集中するため、足が痛む場合があった。【解決手段】  本発明のスノーボード用ビンディングにおいては、ベースプレートの一方及び他方の側面の少なくとも一方に穴を形成し、この穴に対応する位置の締付部材をこの穴を内側から外側に通して上記ベースプレートの外側面に固定せしめる。上記一方及び他方の締付部材を上記ハイバックの外側面に接触せしめる。【選択図】  図１
2005287700.tif 000002
【特許請求の範囲】
【請求項１】
ベースプレートと、ハイバックと、上記ベースプレートの一方の側面にその一端を固定した一方の締付部材と、上記ベースプレートの他方の側面にその一端を固定した他方の締付部材と上記一方及び他方の締付部材を互いに締め付ける締付手段とより成り、上記ベースプレートの一方及び他方の側面の少なくとも一方に穴が形成されており、この穴に対応する位置の上記締付部材がこの穴を内側から外側に通り上記ベースプレートの外側面に固定されていることを特徴とするスノーボード用ビンディング。
【請求項２】
上記一方及び他方の締付部材が上記ハイバックの外側面に接していることを特徴とする請求項１記載のスノーボード用ビンディング。
【請求項３】
上記穴の上下に位置する上記ベースプレートの上下部分が上記ベースプレートの横幅方向に互いにづれていることを特徴とする請求項１または２記載のスノーボード用ビンディング。
【発明の詳細な説明】
【技術分野】
【０００１】
本発明はスノーボード用ビンディングに関するものである。
【背景技術】
【０００２】
図８〜図１０は従来のスノーボード用ビンディングであって、１はスノーボード本体（図示せず）に固定されるベースプレート、２はブーツの後面に対接されるよう上記ベースプレート１に連結されたハイバック、３は上記ベースプレート１に対し、上記ハイバック２を回動自在に枢支するための枢支部、４は上記ブーツの甲部を締め付けるため上記ベースプレート１の外側面にその基部を固定したアンクルストラップ、５はブーツのつま先を締め付けるため上記ベースプレート１に設けたトウーストラップ、６はハイバック２の背面に設けた、その下面が上記ベースプレート１の後方ヒールカップの後端上面に対接されるハイバック前傾調整部材を示す。
【発明の開示】
【発明が解決しようとする課題】
【０００３】
然しながら、上記従来のスノーボード用ビンディングにおいては、足をアンクルストラップ４で締めつけた場合、図１１に示すように足の甲部分７に締めつけ力が集中するため、ホールド性が劣り、又足が痛む場合があった。
【０００４】
このため図１２及び図１３に示すようにアンクルストラップ４の基部をベースプレート１の内側面に固定した場合には足の甲の痛みは改善され、ホールド性も向上するが、足をアンクルストラップ４で締付けた際に図１４に示すようにアンクルストラップ４のネジ固定部分はネジ８の内側突出長さを小さくするため薄くしており、アンクルストラップ４に極端な負荷がかかった場合強度が十分でなかった。また、ネジ８の突出によるハイバック２の磨耗・干渉を避けるためにネジ８の突出量を減らす様に作らなければならない等の問題もあった。又、ネジの内側突出部が直接足に当る場合は、足の側面に痛みを生じる問題が有った。
【０００５】
本発明は上記の欠点を除くようにしたものである。
【課題を解決するための手段】
【０００６】
本発明のスノーボード用ビンディングは、ベースプレートと、ハイバックと、上記ベースプレートの一方の側面にその一端を固定した一方の締付部材と、上記ベースプレートの他方の側面にその一端を固定した他方の締付部材と上記一方及び他方の締付部材を互いに締め付ける締付手段とより成り、上記ベースプレートの一方及び他方の側面の少なくとも一方に穴が形成されており、この穴に対応する位置の上記締付部材がこの穴を内側から外側に通り上記ベースプレートの外側面に固定されていることを特徴とする。
【０００７】
上記一方及び他方の締付部材は、上記ハイバックの外側面に接していることを特徴とする。
【０００８】
また、上記穴の上下に位置する上記ベースプレートの上下部分は、上記ベースプレートの横幅方向に互いにづれていることを特徴とする。
【発明の効果】
【０００９】
本発明のスノーボード用ビンディングにいおいては、従来のものに比べブーツとアンクルストラップの接触面積が大きくなるので足の甲部が痛むことが軽減され、かつベースプレート１とアンクルストラップ４の締付面積が大きいことでネジ部やプラスティック部品がしっかりと締まり磨耗や変形等の問題もなくなる利点がある。
【発明を実施するための最良の形態】
【００１０】
以下図面によって本発明の実施例を説明する。
【実施例１】
【００１１】
本発明のスノーボード用ビンディングにおいては、図１〜図３に示すように、ベースプレート１の一方及び他方の側面の少なくとも一方にベースプレート１の長さ方向に延びる長穴９を形成し、この長穴９の上下に位置するベースプレート１の部分１ａ，１ｂを上記ベースプレートの横幅方向に互いにづらし、この長穴９に対応する位置の締付部材であるアンクルストラップ４の基部をこの長穴９をその内側から外側に通し、上記ベースプレート１の外側面にネジ８によって固定せしめる。
【００１２】
本発明のスノーボード用ビンディングは、上記のような構成であるから従来の図１１に示すものの場合より足に対するアンクルストラップ４の接触面積が大きくなるので、その分足の甲７に対するアンクルストラップ４による締付力が緩和され痛みが生じないようになる。
【実施例２】
【００１３】
本発明の他の実施例においては図４に示すように上記アンクルストラップ４がハイバック２の外側面に接するようにする。
【００１４】
この実施例によればアンクルストラップ４を締めつけた場合、ハイバック２が内側に撓みハイバック２のかかと部分の幅が挟まりハイバック２によるブーツの足首のホールド性が向上するようになる。
【実施例３】
【００１５】
本発明の他の実施例においては上記ハイバック２の外側面を図４に示すように上記ベースプレート１の下部分１ｂの内側に位置せしめる代りに、図５に示すように下部分１ｂの上部にハイバック２の下面が位置されるようにする。
【００１６】
このようにすれば、ベースプレート１の内側を有効に使用できるようになる。
【実施例４】
【００１７】
本発明の他の実施例においては図６に示すようにベースプレート１の上記上下部分１ａ，１ｂを互いに横幅方向にづらすことなく、代りにアンクルストラップ４の基部を上記長穴９に入り得るようクランク状に屈曲せしめる。
【００１８】
なお、図４〜図６に示すネジ８はナットに螺合する形のものでも良いが両端をかしめるリベットでも良い。また、図７に示すようにネジを用いず、帯状のアンクルストラップ４の端部を拡げた形としても良い。更に上記締付部材であるアンクルストラップ４としては帯状のものの代りにワイヤ状のものを使用しても良い。
【図面の簡単な説明】
【００１９】
【図１】本発明のスノーボード用ビンディングの斜視図である。
【図２】図１に示すスノーボード用ビンディングの要部の側面図である。
【図３】図１に示すスノーボード用ビンディングの説明用縦断正面図である。
【図４】図２のＡ−Ａ線断面図である。
【図５】図４に示すスノーボード用ビンディングの変形を示す拡大縦断正面図である。
【図６】図４に示すスノーボード用ビンディングの更なる変形を示す拡大縦断正面図である。
【図７】図４に示すスノーボード用ビンディングの更なる変形を示す拡大縦断正面図である。
【図８】従来のスノーボード用ビンディングの斜視図である。
【図９】図７に示すスノーボード用ビンディングの要部の側面図である。
【図１０】図９のＢ−Ｂ線断面図である。
【図１１】図８に示すスノーボード用ビンディングの説明用縦断正面図である。
【図１２】従来の他のスノーボード用ビンディングの要部の側面図である。
【図１３】図１１に示すスノーボード用ビンディングの説明用縦断正面図である。
【図１４】図１２のＣ−Ｃ線断面図である。
【符号の説明】
【００２０】
１    ベースプレート
１ａ  上部分
１ｂ  下部分
２    ハイバック
３    枢支部
４    アンクルストラップ
５    トウーストラップ
６    ハイバック前傾調整部材
７    甲部分
８    ネジ
９    長穴
【図１】
2005287700.tif 000003
【図２】
2005287700.tif 000004
【図３】
2005287700.tif 000005
【図４】
2005287700.tif 000006
【図５】
2005287700.tif 000007
【図６】
2005287700.tif 000008
【図７】
2005287700.tif 000009
【図８】
2005287700.tif 000010
【図９】
2005287700.tif 000011
【図１０】
2005287700.tif 000012
【図１１】
2005287700.tif 000013
【図１２】
2005287700.tif 000014
【図１３】
2005287700.tif 000015
【図１４】
2005287700.tif 000016